(57)【要約】【課題】構造を複雑化すること無く梱包物の保管・輸送時の荷崩れを防止し、安価で保管性・保護性に優れた梱包装置を提供すること。【解決手段】上下の開口部に四辺のフラップを形成したダンボール等からなる外箱２に被梱包物１を収納してなる梱包装置において、この外箱２の側壁を形成する側面部１０をつなぐそれぞれの稜線１１を上部に延長してなる突起部７を形成し、稜線１１の下部に上部の突起部７と同一形状の切り欠き部８を設けることにより、積み重ね時の上下段の梱包物の位置決め固定ができる。【選択図】図１
2007106437.tif 000002
【特許請求の範囲】
【請求項１】
上下の開口部に四辺のフラップを形成した外箱に被梱包物を収納してなる梱包装置であって、前記外箱の側壁を形成する側面部をつなぐそれぞれの稜線を上部に延長してなる突起部を形成し、かつ前記稜線の下部に前記突起部と同一形状の切り欠き部を設けたことを特徴とする梱包装置。
【請求項２】
突起部の先端をテーパ状に形成し、切り欠き部の角形状を前記突起部と同一のテーパ状としたことを特徴とする請求項１に記載の梱包装置。
【請求項３】
突起部は稜線を共有する両側面部の一部が延長した凸型形状でその断面が略Ｌ字であることを特徴とする請求項１または２に記載の梱包装置。
【発明の詳細な説明】
【技術分野】
【０００１】
本発明は、分離型空気調和機の室内機の梱包に用いられる梱包装置に関するものである。
【背景技術】
【０００２】
従来、この種の梱包装置は、上下の開口部に四辺のフラップを形成した外箱に被梱包物を収納し、被梱包物の左右側面と外箱の間に緩衝材を挿入して、外箱上部のフラップを折り込み梱包を完了するものである（例えば、特許文献１参照）。
【０００３】
図６は、特許文献１に記載された従来の梱包装置の分解斜視図を示すものである。図６に示すように上下の開口部に四辺のフラップ１４、１５を形成した外箱１２と、被梱包物１と、緩衝材１３とから構成されている。
【特許文献１】特開２０００−３２７０３７号公報
【発明の開示】
【発明が解決しようとする課題】
【０００４】
しかしながら、前記従来の構成では、外箱の上面と底面が互いにフラットな面であるため、梱包物を数段積み重ねた状態でトラックやリフト等での輸送する際に輸送の振動により上部の梱包物が滑り荷崩れを起こし誤って梱包物を落下し破損させる。また、荷崩れを防止するためには固定具の取り付け取り外し作業が必要となるなど作業効率を低下させる課題を有してした。
【０００５】
さらには、保管時の積み重ねの際に積み位置がズレると積載荷重に対する強度が十分に得られず、被梱包物の変形および外箱の胴膨れによる変形が起きる。これを防ぐために材質をアップして強度を確保する高価な梱包となる課題を有していた。
【０００６】
本発明は、前記従来の課題を解決するものであり、構造を複雑化すること無く梱包物の保管・輸送時の荷崩れを防止し、安価で保管性・保護性に優れた梱包装置を提供することを目的とする。
【課題を解決するための手段】
【０００７】
前記従来の課題を解決するために本発明の梱包装置は、上下の開口部に四辺のフラップを形成したダンボール等からなる外箱に被梱包物を収納し、被梱包物の左右側面と外箱の間に緩衝材を挿入して支持する梱包装置であって、この外箱の側壁を形成する側面部をつなぐそれぞれの稜線を上部に延長してなる突起部を形成し、かつ稜線の下部に上部の突起部と同一形状の切り欠き部を設けたものである。
【０００８】
これによって、梱包物を積み重ねる際に下段の梱包物の突起部と上段の梱包物の切り欠き部は嵌め合されて位置決めが可能となる。
【発明の効果】
【０００９】
本発明の梱包装置は、構造を複雑化すること無く梱包物の保管・輸送時の荷崩れを防止し、安価で保管性・保護性を向上することができる。
【発明を実施するための最良の形態】
【００１０】
第１の発明は、上下の開口部に四辺のフラップを形成したダンボール等からなる外箱に被梱包物を収納し、被梱包物の左右側面と外箱の間に緩衝材を挿入して支持する梱包装置
であって、この外箱の側壁を形成する側面部をつなぐそれぞれの稜線を上部に延長してなる突起部を形成し、かつ稜線の下部に上部の突起部と同一形状の切り欠き部を設けることにより、梱包物を積み重ねる際に下段の梱包物の突起部と上段の梱包物の切り欠き部は嵌め合されて位置決め固定が可能な構造になるため、梱包物を数段積み重ねて保管・輸送する際の位置決め固定が行え、輸送の振動により上部の梱包物が滑り荷崩れを起こし梱包物を破損させることを防止することができる。
【００１１】
第２の発明は、特に、第１の発明の外箱の上部の突起部先端をテーパ状に形成し、稜線下部の切り欠き部の角形状を突起部と同一のテーパ状にしたことにより、積み重ね作業の際の接触等による突起部の破損を防止し品質の向上が図れ、積み作業の作業性を向上することができる。
【００１２】
第３の発明は、特に、第１または第２の発明の突起部を稜線を共有する両側面部の一部が延長した凸型形状でその断面が略Ｌ字となるように形成することにより、強度が増し、上段の梱包物の切り欠き部との位置決め固定をより容易にすることができる。
【００１３】
以下、本発明の実施の形態について、図面を用いて説明する。なお、この実施の形態によって本発明が限定されるものではない。
（実施の形態１）
図１は、本発明の第１の実施の形態における梱包装置の分解斜視図、図２は、本発明の第１の実施の形態における梱包装置の斜視図、図３は、本発明の第１の実施の形態における外箱の展開図、図４は、本発明の第１の実施の形態における梱包装置の斜視図を示すものである。
【００１４】
図１、２、３、４において、被梱包物１は、本実施の形態では分離型空気調和機の室内機とする。そして、外箱２は上下開口部の四辺に、封函用のフラップ３、４、５、６を設けた段ボール材からなっている。被梱包物１の左右側面と外箱２の間に挿入された緩衝材９は、梱包保管時の積載荷重を支えるとともに輸送時の落下などの外力より保護を行う。
【００１５】
被梱包物１を収納する外箱２は、四面の側壁を形成する側面部１０をつなぐそれぞれの稜線１１を上部に延長し、外箱２の上面の四隅に側面部１０に連続して突起部７を形成している。さらには稜線１１の下部に外箱２上部の突起部７と同一形状の切り欠き部８を設けている。
【００１６】
突起部７は稜線１１を共有する両側面部１０の一部が延長した凸型形状でその断面が略Ｌ字状となるよう形成されている。
【００１７】
上記構成において、被梱包物１の梱包作業は次のように実施される。
まず、外箱２の下部に設けられたフラップ３を内側に折り込み、次にフラップ４を内側に折り込んで、中央部を長手方向にテープ（図示せず）を貼り、外箱２の底部を形成する。このとき外箱下部の四隅に切り欠き部８がそれぞれ形成される。
【００１８】
この状態で、被梱包物１を外箱２の上部開口部より挿入し、次に一対の緩衝材９を被梱包物１の左右側面と外箱２の間に挿入する。この後外箱２の上部に設けられた一対のフラップ５を内側に折り込み、さらに一対のフラップ６を折り込む。このとき外箱上部の四隅に突起部７がそれぞれ形成される。フラップの中央部に粘着テープ（図示せず）を貼り、封函し梱包作業が終了する。梱包物を積み重ねる際に下段の梱包物の突起部７と上段の梱包物の切り欠き部８が嵌め合され位置ズレを防ぎ互いに移動を固定される。
【００１９】
上記構成によって、外箱上面の四隅に側面部から連続してなる突起部を形成し、稜線の
下部に上部の突起部と同一形状の切り欠き部を設けることにより、梱包物を積み重ねる際に下段の梱包物の突起部と上段の梱包物の切り欠き部が嵌め合される構造になるため、互いに位置決め固定され上段の梱包物が輸送の振動により滑り荷崩れを起こすことを防ぎ、固定具も不要となる。また、積み重ねがズレることなく行えるので下段の梱包物に積載荷重が均等に加わるので、被梱包物の変形および外箱の胴膨れによる変形を防ぐために実荷重以上の強度を保持する必要が無く、保管性・保護性の向上が図れるとともに構造を複雑化すること無く安価で梱包装置を提供できる。
（実施の形態２）
図５は、本発明の第２の実施の形態における外箱の展開図を示すものである。
【００２０】
図５に示すように外箱２の上部の突起部７の先端を、上部を細く外箱上面と連続する側を広くなるようなテーパ状に形成し、稜線１１の下部の切り欠き部８の角形状を突起部７と同一のテーパ状に形成している。
【００２１】
上記構成によって、突起部先端と切り欠き部がテーパ状になるため、積み重ね作業の際の接触等し易い突起部上部を細くすることで接触し難くなり破損を防止し品質の向上が図れ、積み作業の作業性を向上することができる。
【産業上の利用可能性】
【００２２】
以上のように、本発明は、構造を複雑化すること無く梱包物の保管・輸送時の荷崩れ防止が可能となるもので、上下の開口部に四辺のフラップを形成した外箱を使用する製品の梱包装置の用途にも適している。
【図面の簡単な説明】
【００２３】
【図１】本発明の実施の形態１における梱包装置の分解斜視図
【図２】本発明の実施の形態１における梱包装置の斜視図
【図３】本発明の実施の形態１における外箱の展開図
【図４】本発明の実施の形態１における梱包装置の斜視図
【図５】本発明の実施の形態２における外箱の展開図
【図６】従来の梱包装置の分解斜視図
【符号の説明】
【００２４】
１  被梱包物
２  外箱
３、４、５、６  フラップ
７  突起部
８  切り欠き部
９  緩衝材
１０  側面部
１１  稜線
【図１】
2007106437.tif 000003
【図２】
2007106437.tif 000004
【図３】
2007106437.tif 000005
【図４】
2007106437.tif 000006
【図５】
2007106437.tif 000007
【図６】
2007106437.tif 000008